(57)【要約】【課題】  簡単な構成で、正確に経時変化等による色度ずれを補正することができるようにすることを課題とする。【解決手段】  入力された画像信号に応じてカラー画像を表示するための表示部（２４）と、表示部の発光を検出するための光検出部（３０）と、光検出部の検出結果を基に表示部に表示されるカラー画像の色バランスを制御するための色バランス制御部（１３）とを有する表示装置が提供される。【選択図】        図１
2006237746.tif 000002
【特許請求の範囲】
【請求項１】
入力された画像信号に応じてカラー画像を表示するための表示部と、
前記表示部の発光を検出するための光検出部と、
前記光検出部の検出結果を基に前記表示部に表示されるカラー画像の色バランスを制御するための色バランス制御部と
を有する表示装置。
【請求項２】
前記光検出部は、前記表示部の背面側から前記表示部の発光を検出する請求項１記載の表示装置。
【請求項３】
前記光検出部は、前記表示部が表示していないときに第１の光検出を行い、前記表示部が表示しているときに第２の光検出を行い、前記第１及び第２の光検出結果の差分を光検出結果として出力する請求項１記載の表示装置。
【請求項４】
前記光検出部は複数の色について各々光検出を行い、前記色バランス制御部は前記複数の色の光量比が特定の比率になるように制御する請求項１記載の表示装置。
【請求項５】
さらに、検出用表示パターンを前記表示部に表示させるパターン供給部を有し、
前記光検出部は、前記表示部に前記検出用表示パターンが表示されているときに前記光検出を行う請求項１記載の表示装置。
【請求項６】
前記表示部は、背面に光を透過できる光透過部を有するシャーシを有し、
前記光検出部は、前記光透過部を通して、前記表示部の背面から前記表示部の発光を検出する請求項２記載の表示装置。
【請求項７】
さらに、前記光検出部に表示装置の外部からの光を遮光するための遮光部を有する請求項６記載の表示装置。
【請求項８】
前記表示部は、前記検出用表示パターンを表示するときには、入力された画像信号に応じた画像を表示しない請求項５記載の表示装置。
【請求項９】
前記表示部は、入力された画像信号に応じた画像の一部を前記検出用表示パターンに置き換えて表示する請求項５記載の表示装置。
【請求項１０】
入力された画像信号に応じてカラー画像を表示するための表示部を有する表示装置の色バランス制御方法であって、
前記表示部の発光を検出する光検出ステップと、
前記検出結果を基に前記表示部に表示されるカラー画像の色バランスを制御する色バランス制御ステップと
を有する色バランス制御方法。
【発明の詳細な説明】
【技術分野】
【０００１】
本発明は、表示装置及び色バランス制御方法に関する。
【背景技術】
【０００２】
カラー表示装置の色バランス制御について、一般の表示装置は、ＲＧＢのゲインを制御して色バランスを合わせた後出荷され、その設定は通常固定であるが、蛍光体の劣化等により、時間と共に色バランスを一定に保つことは難しい。そこで、使用時間に応じて表示デバイスの特性に沿って色バランス設定を変える方法もある。しかし実際には表示デバイス特性のばらつきや使用状態の違い等の影響で必ずしも正確に補正できない。
【０００３】
また、下記の特許文献１のように画面外に検出用の発光部を設け、その光を検出してホワイトバランスを制御する手法もある。
【０００４】
【特許文献１】特開2000-115801号公報
【発明の開示】
【発明が解決しようとする課題】
【０００５】
画面外に表示部を設けてその光を検出する手法は特別な表示デバイスが必要となる上、画面外の部分と表示部の特性が一致する保証は無い。また、画面外の表示部の設置スペースが大きくなったり、通常使用の邪魔になる可能性もある。
【０００６】
本発明の目的は、簡単な構成で、正確に経時変化等による色度ずれを補正することが可能な表示装置及び色バランス制御方法を提供することである。
【課題を解決するための手段】
【０００７】
本発明の一観点によれば、入力された画像信号に応じてカラー画像を表示するための表示部と、表示部の発光を検出するための光検出部と、光検出部の検出結果を基に表示部に表示されるカラー画像の色バランスを制御するための色バランス制御部とを有する表示装置が提供される。
【発明の効果】
【０００８】
表示部の発光を検出し、その検出結果を基に色バランスを制御するので、簡単な構成で、正確に経時変化等による色度ずれを補正することができる。
【発明を実施するための最良の形態】
【０００９】
図１は、本発明の実施形態によるプラズマ表示装置の構成例を示すブロック図である。本実施形態では、表示部としてＰＤＰ（プラズマディスプレイパネル）２４を用いる。ＰＤＰ２４は、Ｘドライバ２１、Ｙドライバ２２、アドレスドライバ２３、及び駆動回路２０等の専用の高圧回路によって駆動される。これらの高圧回路は、ＰＤＰ制御部１により制御される。制御部１は、ＰＤＰ２４の駆動に不可欠な信号処理部１２，１４及びタイミング信号発生部１５、並びに色バランスの制御に必要なパターン生成部（供給部）１１、光検出／制御部１６及び色バランス処理部１３を追加した構成となっている。また、ＰＤＰ２４の背面には、支持及び放熱のためにベースシャーシ２５が設置されている。ベースシャーシ２５には、背面に光を透過できる光検出穴（光透過部）３１が設けられている。光透過部３１を光検出穴としたが、単なる隙間でもよい。また、光検出穴３１を通してＰＤＰ２４の背面からの光を受光して検出できるように光センサ３０が設置される。光センサ３０の出力は、光検出／制御部１６に供給される。さらに、光センサ３０にＰＤＰ２４以外の光が入射しないよう遮光機構３３が設置されている。パターン生成部１１は、検出用表示パターン３２をＰＤＰ２４に表示させ、その光を光検出穴３１を介して光センサ３１で受光し、光検出／制御部１６で検出する。
【００１０】
遮光機構３３は、光センサ３０にプラズマ表示装置の外部からの光を遮光し、光検出穴３１を通してＰＤＰ２４の光のみが光センサ３０に入射し、それ以外の光が光センサに入射しないように遮光する。シャーシ２５は、本来支持及び放熱のためのものであるため、光検出穴３１は必要最小限のサイズであることが好ましい。光検出穴３１の面積は、画面サイズにもよるが、通常１０ｃｍ2以下が好ましい。
【００１１】
本実施形態では光検出穴３１及び光センサ３０はそれぞれ１個ずつであり、Ｒ（赤）Ｇ（緑）Ｂ（青）の各原色信号に対してそれぞれ検出を行うためパターン生成部１１でＲＧＢの各原色信号に対応した検出用表示パターンを順次発生し、それぞれ光検出を行う。この光検出結果に応じて、検出比が所定の値となるよう色バランス制御部１３を制御する。これら一連の動作を収束するまで行うことで、色バランスは良好に制御される。これらの様子を色バランス制御アルゴリズムの具体例として、図５を参照しながら後述する。尚、これらの制御は専用の検出パターンを表示させて行うため、通常の表示状態では行うことができない。従って、実施するには、特定の信号を入力したり、特定の操作を行ったときに、指示部４１が実施を指示する必要がある。具体例としては、（１）使用者がコマンドを入力したとき、（２）電源遮断時、（３）電源投入時、（４）使用時間が所定値を超過したとき、（５）累積電力が所定値を超過したとき、及びそれらの組合せ等がある。
【００１２】
タイミング信号発生部１５は、タイミング信号を生成し、それを駆動回路２０及びアドレスドライバ２３に供給する。制御回路２０は、Ｘドライバ２１及びＹドライバ２２を制御する。Ｘドライバ２１は、複数のＸ電極に所定の電圧を供給する。Ｙドライバ２２は、複数のＹ電極に所定の電圧を供給する。アドレスドライバ２３は、複数のアドレス電極に所定の電圧を供給する。
【００１３】
ＰＤＰ２４では、Ｙ電極及びＸ電極が水平方向に並列に延びる行を形成し、アドレス電極が垂直方向に延びる列を形成する。Ｙ電極及びＸ電極は、垂直方向に交互に配置される。Ｙ電極Ｙｉ及びアドレス電極Ａｊは、ｉ行ｊ列の２次元行列を形成する。表示セルＣｉｊは、Ｙ電極Ｙｉ及びアドレス電極Ａｊの交点並びにそれに対応して隣接するＸ電極Ｘｉにより形成される。この表示セルＣｉｊが画素に対応し、ＰＤＰ２４は２次元画像を表示することができる。所望のアドレス電極及びＹ電極間でアドレス放電を行うことにより、その表示セルを選択することができる。その後、選択された表示セルのＸ電極及びＹ電極間でサステイン放電を行うことにより、その表示セルの画素を点灯させることができる。
【００１４】
画像信号供給源４２は、画像信号をパターン生成部１１に供給する。パターン生成部１１は、指示部４１から色バランス制御の指示信号を受けなければ、画像信号供給源４２からの画像信号を信号処理部１２に出力する。信号処理部１２は、信号処理を行い、色バランス制御部１３に出力する。色バランス制御部１３は、光検出／制御部１６の検出結果に応じて、ＲＧＢのゲインを制御することにより色バランス制御を行い、信号処理部１４に出力する。信号処理部１４は、信号処理し、駆動回路２０に出力する。駆動回路２０は、Ｘドライバ２１及びＹドライバ２２を制御し、ＰＤＰ２４に画像を表示させる。ＰＤＰ２４は、入力された画像信号に応じてカラー画像を表示する。
【００１５】
指示部４１は、信号入力又は操作子の操作に応じて色バランス制御の指示信号を出力する。パターン生成部１１は、指示部４１から色バランス制御の指示信号を受ければ、検出用表示パターンを生成して信号処理部１２に出力する。これにより、上記と同様に、ＰＤＰ２４の左上部には検出用表示パターン３２が表示される。光センサ３０は、ＰＤＰ２４の背面側から光検出穴３１を介して検出用表示パターン３２の発光を検出する。光検出／制御部１６は、光センサ３０の検出結果を基に、色バランス制御部１３を制御する。色バランス制御部１３は、その制御の下、ＰＤＰ２４に表示されるカラー画像の色バランスを制御する。
【００１６】
指示部４１は、電源遮断用操作子を有し、電源遮断用操作子の操作により電源遮断が指示されると、先ず最初に光センサ３０及び光検出／制御部１６は光検出を行い、色バランス制御部１３は色バランスの制御を行い、その後に電源が遮断されるようにすることができる。また、プラズマ表示装置が所定の稼働時間に到達し、かつ電源遮断が指示されると、光センサ３０及び光検出／制御部１６は光検出を行い、色バランス制御部１３は色バランスの制御を行い、その後に電源が遮断されるようにしてもよい。
【００１７】
また、指示部４１は、電源投入用操作子を有し、電源投入用操作子の操作により電源投入が指示されると、先ず最初に光センサ３０及び光検出／制御部１６は光検出を行い、色バランス制御部１３は色バランスの制御を行うようにすることも可能である。また、プラズマ表示装置が特定の稼働時間に到達し、かつ電源投入が指示されると、光センサ３０及び光検出／制御部１６は光検出を行い、色バランス制御部１３は色バランスの制御を行うようにしてもよい。
【００１８】
図２は、光センサ３０及び光検出／制御部１６の構成例を示す回路図である。光検出／制御部１６は、抵抗Ｒ１，Ｒ２、オペ（ＯＰ）アンプ２０１、容量Ｃ１及びマイクロプロセッサ（ＭＰＵ）２０２を有する。ＭＰＵ２０２は、Ａ／Ｄ変換器２０３を有する。抵抗Ｒ２及び容量Ｃ１は、ローパスフィルタ（ＬＰＦ）２０４を構成する。
【００１９】
光センサ３０として、人間の視感度特性に近い特性をもったアモルファスシリコンのフォトセンサ等が好適であり、その場合の例を示す。光センサ３０は、受光すると受光量に応じた電流Ｉ１が流れる。この電流Ｉ１をオペアンプ２０１を用いて増幅し、電圧Ｖ１に変換し、ローパスフィルタ２０４を通し、Ａ／Ｄ変換器２０３によりその電圧をアナログ形式からデジタル形式に変換し、ＭＰＵ２０２に取り込む。電圧Ｖ１は、次式で表される。
Ｖ１＝Ｉ１×Ｒ１
【００２０】
図３は、光検出アルゴリズムの一具体例を示すフローチャートである。ステップＳ３０１では、ＰＤＰ２４を無表示状態にする。次に、ステップＳ３０２では、その状態で光検出を行い、その検出された電圧をＶ０とする。次に、ステップＳ３０３では、ＰＤＰ２４に赤色の検出用表示パターン３２を表示する。次に、ステップＳ３０４では、その表示状態で光検出を行い、その検出された電圧をＶｒとする。次に、ステップＳ３０５では、ＰＤＰ２４に緑色の検出用表示パターン３２を表示する。次に、ステップＳ３０６では、その表示状態で光検出を行い、その検出された電圧をＶｇとする。次に、ステップＳ３０７では、ＰＤＰ２４に青色の検出用表示パターン３２を表示する。次に、ステップＳ３０８では、その表示状態で光検出を行い、その検出された電圧をＶｂとする。次に、ステップＳ３０９では、Ｖｒ−Ｖ０を赤色検出電圧Ｖｒｃとし、Ｖｇ−Ｖ０を緑色検出電圧Ｖｇｃとし、Ｖｂ−Ｖ０を青色検出電圧Ｖｂｃとする。
【００２１】
以上のように、ノイズ等の影響を排し精度を上げるため、まず検出用表示パターン３２を発生しない無表示状態で検出を行い、その後検出用表示パターン３２を表示させて検出を行い、その差分をとっている。尚、さらに精度を上げるためには、複数回検出を行いその平均をとっても良い。
【００２２】
図５は、色バランス制御アルゴリズムの一具体例を示すフローチャートである。ステップＳ５０１では、図３の処理により、赤色検出電圧Ｖｒｃ、緑色検出電圧Ｖｇｃ及び青色検出電圧Ｖｂｃを検出する。次に、ステップＳ５０２では、上記の電圧Ｖｒｃ，Ｖｇｃ，Ｖｂｃを基にＰＤＰ２４の各色の発光比（光量比）Ｌｒｃ：Ｌｇｃ：Ｌｂｃを演算する。次に、ステップＳ５０３では、検出された発光比Ｌｒｃ：Ｌｇｃ：Ｌｂｃが特定の発光比Ｌｒｒ：Ｌｇｒ：Ｌｂｒに一致するか否かをチェックする。上記の特定の発光比は、プラズマ表示装置の工場出荷時点における実際の光検出結果を基に、プラズマ表示装置毎に個別に設定される。一致しなければステップＳ５０４へ進み、一致すれば終了する。ステップＳ５０４では、上記の発光比が一致するように、色バランス調整を行い、ステップＳ５０１へ戻る。特定の発光比に一致するまで、上記の処理が繰り返し行われる。
【００２３】
図４（Ａ）〜（Ｅ）は、光センサ３０、光検出穴３１及び検出用表示パターン３２の具体例を示す図である。使用する光センサ３０の種類等により色々な方法がある。
【００２４】
図４（Ａ）は、光センサ３０及び光検出穴３１をそれぞれ１個ずつ用いる方式を示す。パターン生成部１１は、複数の色（ＲＧＢ）のそれぞれの検出用表示パターン３２を時間をずらしてＰＤＰ２４に表示させる。光センサ３０は。複数の色の光をすべて検出することができ、すなわち、視感度帯域を包含しそれ以上の帯域の検出感度を持つ。光センサ３０は、ＰＤＰ２４に各色の検出用表示パターン３２が表示される毎に光検出を行う。この方式は、光センサ３０が視感度と類似している場合に好適な方法であり、検出用表示パターン３２をＲＧＢの各々に対応して順次発生させ、３回検出を行う。時間はかかるが、同一光センサ３０を使用することで検出誤差が共通となり、キャンセルされる。
【００２５】
図４（Ｂ）は、光センサ３０ｒ，３０ｇ，３０ｂ、光検出穴３１ｒ，３１ｇ，３１ｂ及び検出用表示パターン３２ｒ，３２ｇ，３２ｂをそれぞれ３個ずつ用いる方式であり、ＲＧＢ独立に検出を行う。光センサ３０ｒは、光検出穴３１ｒを介して赤色の検出用表示パターン３２ｒの光を検出する。光センサ３０ｇは、光検出穴３１ｇを介して緑色の検出用表示パターン３２ｇの光を検出する。光センサ３０ｂは、光検出穴３１ｂを介して青色の検出用表示パターン３２ｂの光を検出する。検出用表示パターン３２ｒ，３２ｇ，３２ｂは、ＲＧＢそれぞれに合わせた色で表示することにより、ＲＧＢの光をすべて検出することができる視感度に合致した感度特性の３個の光センサ３２ｒ，３２ｇ，３２ｂを用いることができる。また、ＲＧＢの発光波長に特化した感度特性の光センサ３２ｒ，３２ｇ，３２ｂをそれぞれ用いれば、検出用表示パターン３２ｒ，３２ｇ，３２ｂは白色で良い。
【００２６】
図４（Ｃ）は、１個の光検出穴３１、３個の光センサ３０ｒ，３０ｇ，３０ｂ及び３個の検出用表示パターン３２ｒ，３２ｇ，３２ｂを用いる方式を示す。光センサ３０ｒ，３０ｇ，３０ｂは、共通の光検出穴３１を介して、それぞれ光検出パターン３２ｒ，３２ｇ，３２ｂの光を検出する。光検出穴３１が１個である点を除けば、図４（Ｂ）と同様である。
【００２７】
図４（Ｄ）は、３個の光センサ３０ｒ，３０ｇ，３０ｂ、３個の光学フィルタ３４ｒ，３４ｇ，３４ｂ、３個の光検出穴３１ｒ，３１ｇ，３１ｂを用いる方式を示す。検出用表示パターン３２は、共通であり、基本的に白色で表示を行う。光センサ３０ｒ，３０ｇ，３０ｂは、視感度に合致したものであり、ＲＧＢの光をすべて検出することができる。光学フィルタ３４ｒ，３４ｇ，３４ｂは、光センサ３０ｒ，３０ｇ，３０ｂの前に配置される波長選択フィルタであり、ＲＧＢの光をそれぞれ透過させる。すなわち、光センサ３０ｒは赤色の光のみを通過させ、光センサ３０ｇは緑色の光のみを通過させ、光センサ３０ｂは青色の光のみを通過させる。光センサ３０ｒ，３０ｇ，３０ｂは、それぞれ光学フィルタ３４ｒ，３４ｇ，３４ｂの透過光を検出することにより、ＲＧＢの検出を行うことができる。なお、光学フィルタ３４ｒ，３４ｇ，３４ｂは、ＲＧＢに対応した特定の波長の光を選択的に透過するフィルタであるが、ある程度の透過波長幅を持ったバンドパスフィルタを用いてもよい。
【００２８】
図４（Ｅ）は、３個の光センサ３０ｒ，３０ｇ，３０ｂ、３個の光学フィルタ３４ｒ，３４ｇ，３４ｂ、１個の光検出穴３１を用いる方式を示す。この方式は、１個の光検出穴３１を３個の光センサ３０ｒ，３０ｇ，３０ｂが共通で使用する点以外は図４（Ｄ）と同様である。光センサ３０ｒ，３０ｇ，３０ｂは、共通の光検出穴３１及び光学フィルタ３４ｒ，３４ｇ，３４ｂを介して、白色の検出用表示パターン３２の光を検出する。
【００２９】
図６は、図４（Ｃ）の検出用表示パターン３２と光センサ３０の配置関係を表す構成例を示す。光センサ３０は、図４（Ｃ）の３個の光センサ３０ｒ，３０ｇ，３０ｂに対応する。検出用表示パターン３２は、図４（Ｃ）の３個の検出用表示パターン３２ｒ，３２ｇ，３２ｂに対応する。遮光機構３３は、光センサ３０に対してプラズマ表示装置の外部からの光を遮光する。図１では、色バランス制御中は、通常の画像表示を行わずに、専用の検出用表示パターン３２のみを表示させて行う。すなわち、ＰＤＰ２４は、検出用表示パターン３２を表示するときには、入力された画像信号に応じた画像を表示しない。これに対し、図６では、通常表示画面の左下の一部を検出用表示パターン３２に置き換えて、色バランス制御を行うものである。すなわち、ＰＤＰ２４は、入力された画像信号に応じた画像の一部を検出用表示パターン３２に置き換えて表示する。画面左下隅の一角に検出用表示パターン３２を表示しながら、色バランスを制御する。通常表示画像を妨げないため、好きなときに色バランス制御を行うことができる。なお、この場合は、同一タイミングの光を検出するため、ＲＧＢそれぞれ独立に光を検出する３個の光センサ３０を用いる方式となっている。もちろん、同一の光センサを用いて順次検出する方式も可能であることは言うまでもない。
【００３０】
以上のように、本実施形態は、光センサ３０をＰＤＰ２４の背面に設け、ＰＤＰ２４の背面より導出した光の強度を色毎に検出することで実表示の色バランスを判別し、それを基に色バランスを制御する。ＰＤＰ２４の背面から表示光を取り出し、光センサ３０で検出することでフィードバック制御を行う。ＰＤＰ２４の背面から光を取り出すことで、特別なＰＤＰ２４ではなく通常の表示エリアだけを持ったＰＤＰ２４を用いることができる。また、実際の発光強度を検出してフィードバック制御を行うため、ＰＤＰ２４の特性のばらつきや使用状態の違い等の影響を受けず、正確である。これにより、ＰＤＰ２４の背面から光を取り出し、検出するという簡単な構成でありながら、実際の発光をフィードバック制御できるため、正確に経時変化等による色度ずれ（色バランス）を補正することができる。
【００３１】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【００３２】
本発明の実施形態は、例えば以下のように種々の適用が可能である。
【００３３】
（付記１）
入力された画像信号に応じてカラー画像を表示するための表示部と、
前記表示部の発光を検出するための光検出部と、
前記光検出部の検出結果を基に前記表示部に表示されるカラー画像の色バランスを制御するための色バランス制御部と
を有する表示装置。
（付記２）
前記光検出部は、前記表示部の背面側から前記表示部の発光を検出する付記１記載の表示装置。
（付記３）
前記光検出部は、前記表示部が表示していないときに第１の光検出を行い、前記表示部が表示しているときに第２の光検出を行い、前記第１及び第２の光検出結果の差分を光検出結果として出力する付記１記載の表示装置。
（付記４）
前記光検出部は複数の色について各々光検出を行い、前記色バランス制御部は前記複数の色の光量比が特定の比率になるように制御する付記１記載の表示装置。
（付記５）
前記特定の比率は、表示装置毎に個別に設定される付記４記載の表示装置。
（付記６）
前記光検出部は、複数回検出を行い、その平均値を光検出結果として出力する付記１記載の表示装置。
（付記７）
さらに、検出用表示パターンを前記表示部に表示させるパターン供給部を有し、
前記光検出部は、前記表示部に前記検出用表示パターンが表示されているときに前記光検出を行う付記１記載の表示装置。
（付記８）
前記光検出部は、複数の色の光をそれぞれ検出するための複数の光センサを有する付記１記載の表示装置。
（付記９）
前記光検出部は、
複数の色の光をすべて検出することができる複数の光センサと、
前記複数の光センサの前に配置され、前記複数の色の光をそれぞれ透過させるための複数の光学フィルタとを有し、
前記複数の光センサは、それぞれ前記複数の光学フィルタの透過光を検出する付記１記載の表示装置。
（付記１０）
さらに、複数の色のそれぞれの検出用表示パターンを時間をずらして前記表示部に表示させるパターン供給部を有し、
前記光検出部は、複数の色の光をすべて検出することができる光センサを有し、
前記光センサは、前記表示部に各色の検出用表示パターンが表示される毎に光検出を行う付記１記載の表示装置。
（付記１１）
前記色バランス制御部は、信号入力又は操作子の操作に応じて前記色バランスの制御を行う付記１記載の表示装置。
（付記１２）
電源遮断が指示されると、前記光検出部は前記検出を行い、前記色バランス制御部は前記色バランスの制御を行い、その後に電源が遮断される付記１記載の表示装置。
（付記１３）
電源投入が指示されると、前記光検出部は前記検出を行い、前記色バランス制御部は前記色バランスの制御を行う付記１記載の表示装置。
（付記１４）
表示装置が特定の稼働時間に到達し、かつ電源遮断が指示されると、前記光検出部は前記検出を行い、前記色バランス制御部は前記色バランスの制御を行い、その後に電源が遮断される付記１２記載の表示装置。
（付記１５）
表示装置が特定の稼働時間に到達し、かつ電源投入が指示されると、前記光検出部は前記検出を行い、前記色バランス制御部は前記色バランスの制御を行う付記１３記載の表示装置。
（付記１６）
前記表示部は、プラズマディスプレイパネルである付記１記載の表示装置。
（付記１７）
前記表示部は、背面に光を透過できる光透過部を有するシャーシを有し、
前記光検出部は、前記光透過部を通して、前記表示部の背面から前記表示部の発光を検出する付記２記載の表示装置。
（付記１８）
さらに、前記光検出部に表示装置の外部からの光を遮光するための遮光部を有する付記１７記載の表示装置。
（付記１９）
さらに、前記光透過部を通して前記表示部の光のみが前記光検出部に入射し、それ以外の光が前記光検出部に入射しないように遮光するための遮光部を有する付記１７記載の表示装置。
（付記２０）
前記シャーシの光透過部の面積は、１０ｃｍ2以下である付記１７記載の表示装置。
（付記２１）
前記表示部は、前記検出用表示パターンを表示するときには、入力された画像信号に応じた画像を表示しない付記７記載の表示装置。
（付記２２）
前記表示部は、入力された画像信号に応じた画像の一部を前記検出用表示パターンに置き換えて表示する付記７記載の表示装置。
（付記２３）
入力された画像信号に応じてカラー画像を表示するための表示部を有する表示装置の色バランス制御方法であって、
前記表示部の発光を検出する光検出ステップと、
前記検出結果を基に前記表示部に表示されるカラー画像の色バランスを制御する色バランス制御ステップと
を有する色バランス制御方法。
【図面の簡単な説明】
【００３４】
【図１】本発明の実施形態によるプラズマ表示装置の構成例を示すブロック図である。
【図２】光センサ及び光検出／制御部の構成例を示す回路図である。
【図３】光検出アルゴリズムの一具体例を示すフローチャートである。
【図４】図４（Ａ）〜（Ｅ）は光センサ、光検出穴及び検出用表示パターンの具体例を示す図である。
【図５】色バランス制御アルゴリズムの一具体例を示すフローチャートである。
【図６】図４（Ｃ）の検出用表示パターンと光センサの配置関係を表す構成例を示す図である。
【符号の説明】
【００３５】
１  ＰＤＰ制御部
１１  パターン生成部
１２  信号処理部
１３  色バランス処理部
１４  信号処理部
１５  タイミング信号発生部
１６  光検出／制御部
２０  駆動回路
２１  Ｘドライバ
２２  Ｙドライバ
２３  アドレスドライバ
２４  ＰＤＰ
２５  ベースシャーシ
３０  光センサ
３１  光検出穴
３２  検出用表示パターン
３３  遮光機構
４１  指示部
４２  画像信号供給源
【図１】
2006237746.tif 000003
【図２】
2006237746.tif 000004
【図３】
2006237746.tif 000005
【図４】
2006237746.tif 000006
【図５】
2006237746.tif 000007
【図６】
2006237746.tif 000008